(57)【要約】【課題】  機器本体が複雑な形状にならず、携帯時に違和感を生じることもなく、２つのスピーカからの音を十分な音量で互いに離れる方向に放音させて良好なステレオ効果を得る。【解決手段】  第２ケース２内に並んで配置された第１、第２スピーカ２１、２２の互いに接近する側をスピーカ覆部２３で覆うと共に、第１、第２スピーカ２１、２２に対応する部分から第１、第２スピーカ２１、２２の互いに離間するスピーカ覆部２３の両側に向けて第１、第２放音孔２４、２５を設けた。従って、第１、第２スピーカ２１、２２からの音が混合するのを軽減することができると共に、第１、第２放音孔２４、２５を十分に大きくして、第１、第２スピーカ２１、２２から放音される音の音量を十分に確保することができ、これにより良好なステレオ効果を得ることができ、また第２ケース２の形状が複雑にならず、手に持ったときに違和感がなく、良好に携帯することができる。【選択図】        図５
2005286702.tif 000002
【特許請求の範囲】
【請求項１】
機器本体内に第１スピーカと第２スピーカとが並んで配置された携帯型電子機器であって、
前記第１、第２スピーカが互いに接近する側における前記第１、第２スピーカの各放音面側を覆うスピーカ覆部と、
前記第１、第２スピーカの前記各放音面に対応する部分から前記第１、第２スピーカが互いに離間する側に位置する前記スピーカ覆部の両側に向けて設けられた第１、第２放音孔と
を備えたことを特徴とする携帯型電子機器。
【請求項２】
前記第１、第２放音孔は、前記第１、第２スピーカの前記各放音面に対応する部分から前記第１、第２スピーカが互いに離間する側に位置する前記機器本体の両側に向けてそれぞれ斜めに形成されていることを特徴する請求項１に記載の携帯型電子機器。
【請求項３】
前記第１スピーカと前記第２スピーカとの間には、一対の隔壁によって形成される空気空間が設けられていることを特徴とする請求項１または２に記載の携帯型電子機器。
【請求項４】
前記機器本体を載置面上に配置したときに、前記機器本体と前記スピーカ覆部とが、前記第１放音孔と前記第２放音孔とから放音された音を前記機器本体の両側に向けてそれぞれ導くための放音空間を形成することを特徴とする請求項１〜３のいずれかに記載の携帯型電子機器。
【請求項５】
前記放音空間は、前記機器本体と前記スピーカ覆部との高低差によって形成されることを特徴とする請求項４に記載の携帯型電子機器。
【請求項６】
前記放音空間は、前記スピーカ覆部の近傍に配置された突起部によって形成されることを特徴とする請求項４に記載の携帯型電子機器。
【請求項７】
前記突起部は、前記機器本体内に挿脱可能に収納される部品を開閉可能に覆うカバー部材に設けられていることを特徴とする請求項６に記載の携帯型電子機器。
【発明の詳細な説明】
【技術分野】
【０００１】
この発明は、携帯電話機や携帯型音響機器などの携帯型電子機器に関する。
【背景技術】
【０００２】
例えば、携帯電話機においては、多機能化が進み、通話機能のほかに、音響機能をも備えたものが開発されている。このような音響機能を備えた携帯電話機には、音楽情報を受信して音楽を再生するために、機器本体内に受話用スピーカからなるレシーバを設けるほかに、２つのスピーカを設け、この２つのスピーカで楽音をステレオ感覚で聴けるように構成したものがある。
【特許文献１】特開２００３−１５２８３７号公報
【０００３】
この特許文献１の携帯電話機では、機器本体内に第１、第２スピーカを並べて配置し、これら第１、第２スピーカの各放音面と機器本体との間に音響空間をそれぞれ形成するために、機器本体における第１、第２スピーカの互いに離間する両側部分にそれぞれ盛上り部を形成し、この盛上り部の外側面側に位置する各傾斜部に放音孔をそれぞれ設けた構造になっている。
【発明の開示】
【発明が解決しようとする課題】
【０００４】
しかしながら、上記のような従来の携帯電話機では、機器本体が第１、第２スピーカの互いに離間する両側部分にそれぞれ盛上り部を形成して、第１、第２スピーカの各放音面と機器本体との間に音響空間をそれぞれ形成しなければ、第１、第２スピーカからの音を盛上り部の放音孔から十分に放音させることができないという問題があるほか、機器本体に盛上り部を形成しているため、機器本体の形状が複雑になるという問題もある。
【０００５】
特に、盛上り部の傾斜部に放音孔を設けているため、盛上り部を大きく形成して、放音孔の孔径を大きく形成しなければ、第１、第２スピーカからの音を十分な音量で放音することができないという不都合もある。また、音量を十分に確保するために、盛上り部を大きくすると、機器本体が大型化すると共に、機器本体を手に持ったときに盛上り部によって違和感が生じるばかりか、携帯時に盛上り部が邪魔になるなどの問題もある。
【０００６】
この発明が解決しようとする課題は、機器本体が複雑な形状にならず、携帯時に違和感を与えることがなく、２つのスピーカからの音を十分な音量で互いに離れる方向に放音させて良好なステレオ効果が得られる携帯型電子機器を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図１３に示すように、機器本体（第２ケース２）内に第１スピーカ（２１）と第２スピーカ（２２）とが並んで配置された携帯型電子機器であって、前記第１、第２スピーカが互いに接近する側における前記第１、第２スピーカの各放音面（２１ａ、２２ａ）側を覆うスピーカ覆部（２３）と、前記第１、第２スピーカの前記各放音面に対応する部分から前記第１、第２スピーカが互いに離間する側に位置する前記スピーカ覆部の両側に向けて設けられた第１、第２放音孔（２４、２５）とを備えたことを特徴とする携帯型電子機器である。
【０００９】
請求項２に記載の発明は、図１〜図１３に示すように、前記第１、第２放音孔（２４、２５）が、前記第１、第２スピーカ（２１、２２）の前記各放音面（２１ａ、２２ａ）に対応する部分から前記第１、第２スピーカが互いに離間する側に位置する前記機器本体（第２ケース２）の両側に向けてそれぞれ斜めに形成されていることを特徴する請求項１に記載の携帯型電子機器である。
【００１０】
請求項３に記載の発明は、図１〜図１０に示すように、前記第１スピーカ（２１）と前記第２スピーカ（２２）との間に、一対の隔壁（２９、２９）によって形成される空気空間（３０）が設けられていることを特徴とする請求項１または２に記載の携帯型電子機器である。
【００１１】
請求項４に記載の発明は、図１〜図１３に示すように、前記機器本体（第２ケース２）を載置面（２６）上に配置したときに、前記機器本体と前記スピーカ覆部（２３）とが、前記第１放音孔（２４）と前記第２放音孔（２５）とから放音された音を前記機器本体の両側に向けてそれぞれ導くための放音空間（第１、第２放音空間２７、２８、または放音空間４１）を形成することを特徴とする請求項１〜３のいずれかに記載の携帯型電子機器である。
【００１２】
請求項５に記載の発明は、図１〜図１０に示すように、前記放音空間（第１、第２放音空間２７、２８）が、前記機器本体（第２ケース２）と前記スピーカ覆部（２３）との高低差によって形成されることを特徴とする請求項４に記載の携帯型電子機器である。
【００１３】
請求項６に記載の発明は、図１０〜図１３に示すように、前記放音空間（４１）が、前記スピーカ覆部（２３）の近傍に配置された突起部（４０）によって形成されることを特徴とする請求項４に記載の携帯型電子機器である。
【００１４】
請求項７に記載の発明は、図４、図１０〜図１３に示すように、前記突起部（４０）が、前記機器本体（第２ケース２）内に挿脱可能に収納される部品（メモリカード１５）を開閉可能に覆うカバー部材（開閉蓋１７）に設けられていることを特徴とする請求項４に記載の携帯型電子機器である。
【発明の効果】
【００１５】
請求項１に記載の発明によれば、機器本体内に並んで配置された第１スピーカと第２スピーカとが互いに接近する側における第１、第２スピーカの各放音面をスピーカ覆部で覆うと共に、第１、第２スピーカの各放音面に対応する部分から第１、第２スピーカが互いに離間する側に位置するスピーカ覆部の両側に向けて第１、第２放音孔を設けたので、第１、第２スピーカからの音をそれぞれ互いに離れる方向に放音させることができ、これにより第１、第２スピーカからの音が混合するのを軽減することができると共に、第１、第２放音孔を十分に大きく形成することができるため、第１、第２スピーカから放音される音量を十分に確保することができ、これにより良好にステレオ効果を得ることができ、また従来例のように機器本体に盛上り部を設ける必要がないので、機器本体の形状が複雑にならず、機器本体を手に持ったときに違和感がなく、良好に携帯することができる。
【００１６】
請求項２に記載の発明によれば、第１、第２放音孔が第１、第２スピーカの各放音面に対応する部分から第１、第２スピーカが互いに離間する側に位置する機器本体の両側に向けてそれぞれ斜めに形成されているので、第１、第２スピーカからの音を第１、第２放音孔によって第１、第２スピーカが互いに離間する方向に向けてそれぞれ斜めに放音させることができ、これにより第１、第２放音孔から放音される音の指向性が良く、第１、第２スピーカからの音が混合するのを大幅に軽減することができ、このため、より一層、ステレオ効果の高いものを得ることができる。
【００１７】
請求項３に記載の発明によれば、第１スピーカと第２スピーカとの間に一対の隔壁によって形成される空気空間が設けられていることにより、第１スピーカと第２スピーカとを接近させて配置しても、その間に設けられた一対の隔壁で形成された空気空間によって第１スピーカの音と第２スピーカの音とが干渉するのを防ぐことができ、これにより第１、第２スピーカの両方の音を良好に聴くことができ、これによってもステレオ効果の高いものを得ることができる。
【００１８】
請求項４に記載の発明によれば、機器本体を載置面上に配置したときに、機器本体とスピーカ覆部とが、第１放音孔と第２放音孔とから放音された音を機器本体の両側に向けてそれぞれ導くための放音空間を形成することにより、機器本体を載置面上に配置しても、第１放音孔と第２放音孔とが塞がれることがなく、第１放音孔と第２放音孔とから放音された音を放音空間によって機器本体の両側から外部に放音させることができ、これにより機器本体を載置面上に配置した状態でも、第１、第２スピーカの音を機器本体の外部に確実に放音させることができるので、良好にステレオ効果を得ることができる。
【００１９】
請求項５に記載の発明によれば、放音空間が機器本体とスピーカ覆部との高低差によって形成されることにより、機器本体とスピーカ覆部とに高低差を持たせるだけの簡単な構造で、機器本体を載置面上に配置したときに放音空間を形成することができ、このためスピーカ覆部を機器本体に一体的に形成しても、機器本体が複雑な形状にならず、スピーカ覆部を有する機器本体を容易に製作することができる。この場合、機器本体とスピーカ覆部との高低差は、機器本体とスピーカ覆部との段差であっても良く、また機器本体とスピーカ覆部とに連続する傾斜面や湾曲面などの斜面であっても良い。
【００２０】
請求項６に記載の発明によれば、放音空間がスピーカ覆部の近傍に配置された突起部によって形成されることにより、突起部をスピーカ覆部の近傍に配置するだけの簡単な構造で、機器本体を載置面上に配置したときに放音空間を形成することができ、これにより機器本体を載置面上に配置した状態でも、良好にステレオ効果を得ることができる。
【００２１】
請求項７に記載の発明によれば、突起部が機器本体内に挿脱可能に収納される部品を開閉可能に覆うカバー部材に設けられていることにより、放音空間を形成する突起部を備えていても、この突起部を機器本体と別のカバー部材に形成すれば良いので、突起部を簡単に形成することができると共に、機器本体の形状も複雑にならず、機器本体を容易に製作することができる。この場合、特に突起部がカバー部材の取っ手の役目をも兼ねることができるので、カバー部材の開閉操作が容易にでき、これにより使い勝手の良いものを得ることができる。
【発明を実施するための最良の形態】
【００２２】
（実施形態１）
以下、図１〜図５を参照して、この発明の携帯型電子機器を携帯電話機に適用した実施形態１について説明する。
図１はこの発明の携帯電話機を示した正面図、図２はその側面図、図３は図１の背面図、図４は図３のＡ−Ａ矢視における拡大断面図、図５は図４の主要部を原理的に示した断面図である。
この携帯電話機は、第１ケース１と第２ケース２とを備え、第１、第２ケース１、２の各端部をヒンジ部３によって回動可能に連結し、このヒンジ部３を中心に第１、第２ケース１、２を回動させて閉じると、第１、第２ケース１、２が互いに重なり合うように構成されている。
【００２３】
この場合、第１ケース１は、片手で握れる程度の細長い箱形状に形成されている。この第１ケース１の正面、つまり第２ケース２に対向する正面（図２では左側面）には、図１に示すように、メイン表示部４がほぼ全域に亘って設けられており、このメイン表示部４の上端部側には、受話音を発するための小型スピーカからなるレシーバ部５が設けられている。また、この第１ケース１の背面（図２では右側面）のほぼ中央部分には、図３に示すように、サブ表示部６が設けられており、その手前側（図３では下側）には、カメラ部７が設けられている。
【００２４】
メイン表示部４およびサブ表示部６は、液晶表示素子やＥＬ表示素子（エレクトロルミネッセンス表示素子）などの平面型の表示素子からなり、電話情報や時刻情報などの各種の情報を選択的に表示するように構成されている。この場合、メイン表示部４は第１ケース１の横幅とほぼ同じ幅の縦長の長方形状に形成されており、サブ表示部６は円形状に形成されている。また、メイン表示部４は、サブ表示部６よりも表示領域が大きく形成され、これによりサブ表示部６よりも多くの情報を表示するように構成されている。
【００２５】
一方、第２ケース２は、図４に示すように、上ケース２ａと下ケース２ｂとを重ね合わせて接合した構造で、全体が第１ケース１とほぼ同じ大きさの箱形状に形成されている。この第２ケース２の正面、つまり第１ケース１に対向する正面（図２では左側面）には、図１に示すように、マルチガイド釦８およびキー入力部９が設けられており、その下端部側には、マイク部１０が設けられている。マルチガイド釦８は、各種のモードを切り替えるモード切替機能、カーソル機能、シフト機能などの多くの機能を選択して実行する釦である。キー入力部９は、数字キーなどの文字キーを備え、電話番号やメッセージなどの各種の情報を入力するように構成されている。
【００２６】
この第２ケース２の背面（図２では右側面）におけるほぼ中央部分には、図３に示すように、電池パック（図示せず）を覆って保護する電池蓋１１が着脱可能に取り付けられており、その上部側には、後述するステレオスピーカ部１２が設けられている。また、この第２ケース２の内部には、図４に示すように、シールド板１３がキー入力部９の下側に対応して配置されており、このシールド板１３の下側には、回路基板１４が配置されている。この回路基板１４の下側には、ＳＤカードなどのメモリカード１５を挿脱可能に収納するカード収納部１６が設けられている。このカード収納部１６は、第２ケース２の上端部（ヒンジ部３側の端部）に位置する背面（図３では上面）に挿入口（図示せず）が設けられており、この挿入口には、図３に示すように、開閉蓋１７が着脱可能に取り付けられている。
【００２７】
また、第２ケース２内におけるカード収納部１６の両側には、図４に示すように、スピーカコネクタ１８、１８がそれぞれ回路基板１４に電気的に接続された状態で配置されており、このカード収納部１６およびその両側のスピーカコネクタ１８、１８の下側には、ステレオスピーカ部１２が設けられている。このステレオスピーカ部１２の左側には、アンテナ１９が図３に示す第２ケース２の上端部側に向けて出没可能に配置されており、ステレオスピーカ部１２の右側には、電話の着信を振動で伝えるバイブレータ２０が配置されている。
【００２８】
ところで、第２ケース２の背面側（図４では下面側）に設けられたステレオスピーカ部１２は、図４に示すように、第１スピーカ２１と第２スピーカ２２とを備えている。これら第１、第２スピーカ２１、２２は、カード収納部１６およびその両側のスピーカコネクタ１８、１８の下側に位置した状態で、その各放音面２１ａ、２２ａを下側に向けて、図３に示すように第２ケース２の幅方向に並んで配置され、この状態でスピーカコネクタ１８、１８とそれぞれ電気的に接続されている。
【００２９】
また、このステレオスピーカ部１２における第２ケース２の下面、つまり第２ケース２の下ケース２ｂには、図４に示すように、第１スピーカ２１と第２スピーカ２２とが互いに接近する側に位置する第１、第２スピーカ２１、２２の各放音面２１ａ、２２ａ側を覆うスピーカ覆部２３が設けられていると共に、第１、第２スピーカ２１、２２の各放音面２１ａ、２２ａに対応する部分から第１スピーカ２１と第２スピーカ２２とが互いに離間する側に位置するスピーカ覆部２３の両側に向けて第１、第２放音孔２４、２５が設けられている。
【００３０】
この場合、スピーカ覆部２３は、図４に示すように、第２ケース２の下ケース２ｂの下面よりも下側に突出した状態で、下ケース２ｂに一体に形成されていると共に、図３および図５に示すように、第１、第２スピーカ２１、２２の互いに接近する部分の各放音面２１ａ、２２ａを覆った状態で、第１、第２スピーカ２１、２２の互いに離間する両側部分をほぼ扇状に露出させるように構成されている。また、第１、第２放音孔２４、２５は、図４に示すように、第２ケース２の下ケース２ｂとスピーカ覆部２３との間に、第１スピーカ２１と第２スピーカ２２とが互いに離間する方向、つまり第２ケース２の幅方向における両側に向けて斜め下側に傾斜して形成されている。この場合、第１、第２放音孔２４、２５は、第２ケース２の下側に位置する各開放部分が図３に示すようにスピーカ覆部２３の両側にほぼ扇状に形成されている。
【００３１】
すなわち、第１、第２放音孔２４、２５は、左右対称に形成されており、これら第１、第２放音孔２４、２５のうち、第１放音孔２４は、図５に原理的に示すように、第２ケース２の下ケース２ｂにおける右側の端面とスピーカ覆部２３の右側の端面とがほぼ平行な傾斜面２４ａ、２４ｂに形成され、これにより第１スピーカ２１からの音を第２ケース２の右下側に向けて斜め下方に放音するように構成されている。同様に、第２放音孔２５は、第２ケース２の下ケース２ｂにおける左側の端面とスピーカ覆部２３の左側の端面とがほぼ平行な傾斜面２５ａ、２５ｂに形成され、これにより第２スピーカ２２からの音を第２ケース２の左下側に向けて斜め下方に放音するように構成されている。
【００３２】
この場合、スピーカ覆部２３は、下ケース２ｂよりも厚みが厚く形成され、これにより下ケース２ｂよりも下側に突出していることにより、スピーカ覆部２３の傾斜面２４ｂ、２５ｂが下ケース２ｂの傾斜面２４ａ、２５ａよりも長く形成されている。このため、第１、第２放音孔２４、２５は、第１、第２スピーカ２１、２２の放音面２１ａ、２２ａの各中央部分から下ケース２ｂの下部両側に向けて斜めに形成されていることにより、第１、第２スピーカ２１、２２からの各音を下ケース２ｂの下部両側にそれぞれ導いて下側外部に斜めに放音させるように構成されている。
【００３３】
また、スピーカ覆部２３は、図５に示すように、第２ケース２の下ケース２ｂよりも下側に突出していることにより、スピーカ覆部２３の下面と下ケース２ｂの下面とに段差が形成されている。このため、このステレオスピーカ部１２は、第２ケース２の下ケース２ｂを卓上などの載置面２６上に載置したときに、図５に示すように、スピーカ覆部２３と下ケース２ｂとの段差によって、第１、第２放音孔２４、２５からの各音を第２ケース２の両側にそれぞれ導く第１、第２放音空間２７、２８が載置面２６上に形成されるように構成されている。
【００３４】
また、スピーカ覆部２３の内面（図４では上面）には、一対の隔壁２９、２９が第１、第２スピーカ２１、２２間に位置して形成されている。これら一対の隔壁２９、２９は、図４および図５に示すように、所定間隔を隔てて設けられ、これにより第１、第２スピーカ２１、２２間に空気空間３０を形成するように構成されている。なお、第１、第２スピーカ２１、２２の各放音面２１ａ、２２ａ側には、図４に示すように、第１、第２放音孔２４、２５から塵埃などの異物が侵入するのを防ぐための防塵ネット３１がそれぞれ設けられている。
【００３５】
このような携帯電話機では、通常の携帯電話機と同様、通話機能によって通信相手と通話することができるほか、音楽情報を受信してその音楽をステレオスピーカ部１２によってステレオ感覚で聴くことができる。すなわち、このステレオスピーカ部１２は、第１、第２スピーカ２１、２２を備えているので、受信した音楽情報に基づいた音楽を第１、第２スピーカ２１、２２で再生することができる。この場合、ステレオスピーカ部１２は、第２ケース２内に並んで配置された第１スピーカ２１と第２スピーカ２２とが互いに接近する側に位置する第１、第２スピーカ２１、２２の各放音面２１ａ、２２ａをスピーカ覆部２３で覆った構造であるから、従来例のように第２ケース２に音響空間を形成するための盛上り部を設ける必要がなく、このため第２ケース２の形状が複雑にならず、第１、第２ケース１、２を手に持ったときに違和感がなく、良好に携帯することができる。
【００３６】
また、このステレオスピーカ部１２は、第２ケース２内に並んで配置された第１スピーカ２１と第２スピーカ２２とが互いに接近する側に位置する第１、第２スピーカ２１、２２の各放音面２１ａ、２２ａをスピーカ覆部２３で覆うと共に、第１、第２スピーカ２１、２２の各放音面２１ａ、２２ａに対応する部分から第１、第２スピーカ２１、２２が互いに離間する側に位置するスピーカ覆部２３の両側に向けて第１、第２放音孔２４、２５が設けられているので、第１、第２放音孔２４、２５によって第１、第２スピーカ２１、２２からの音を互いに離れる方向に放音させることができ、これにより第１、第２スピーカ２１、２２からの音が混合するのを軽減することができると共に、第１、第２放音孔２４、２５を十分に大きく形成することができるため、第１、第２スピーカ２１、２２から放音される音量を十分に確保することができ、これにより良好にステレオ効果を得ることができる。
【００３７】
特に、第１、第２放音孔２４、２５が第１、第２スピーカ２１、２２の各放音面２１ａ、２２ａに対応する部分から第１スピーカ２１と第２スピーカ２２とが互いに離間する側に位置する第２ケース２の両側に向けてそれぞれ斜めに形成されているので、第１、第２スピーカ２１、２２からの音を第１、第２放音孔２４、２５によって第１、第２スピーカ２１、２２が互いに離間する方向に向けてそれぞれ斜めに放音させることができる。これにより、第１、第２放音孔２４、２５から放音される音の指向性が良く、第１、第２スピーカ２１、２２からの音が混合するのを大幅に軽減することができ、このため、より一層、ステレオ効果の高いものを得ることができる。
【００３８】
また、第１スピーカ２１と第２スピーカ２２との間に一対の隔壁２９、２９によって形成される空気空間３０が設けられていることにより、第１スピーカ２１と第２スピーカ２２とを接近させて配置しても、その間に設けられた一対の隔壁２９、２９で形成された空気空間３０によって第１スピーカ２１の音と第２スピーカ２２の音とが干渉するのを防ぐことができる。このため、第１、第２スピーカ２１、２２で発生した各音を干渉させることなく第１、第２放音孔２４、２５から互いに離れる方向に向けて外部に放音させることができるので、第１、第２スピーカ２１、２２の両方の音を良好に聴くことができ、これによっても、ステレオ効果の高いものを得ることができる。
【００３９】
また、スピーカ覆部２３が下ケース２ｂよりも下側に突出していることにより、スピーカ覆部２３と下ケース２ｂとに段差が形成され、この段差によって第２ケース２の下ケース２ｂを卓上などの載置面２６上に載置したときに、第１、第２放音孔２４、２５からの音を第２ケース２の両側にそれぞれ導く第１、第２放音空間２７、２８を形成することができる。このため、第２ケース２の下ケース２ｂを載置面２６上に配置しても、図５に示すように、第１放音孔２４と第２放音孔２５とが塞がれることがなく、第１放音孔２４と第２放音孔２５とから放音された音をそれぞれ第１、第２放音空間２７、２８によって第２ケース２の両側に導いて第２ケース２の外部に確実に放音させることができ、これによっても良好なステレオ効果を得ることができる。
【００４０】
この場合、スピーカ覆部２３が下ケース２ｂよりも下側に突出してスピーカ覆部２３と下ケース２ｂとに段差が生じることにより、第２ケース２の下ケース２ｂを卓上などの載置面２６上に配置したときに、第２ケース２の下ケース２ｂとスピーカ覆部２３とが第１、第２放音空間２７、２８を形成するので、簡単な構造で、第１、第２放音空間２７、２８を必要に応じて形成することができる。このため、携帯時には第１、第２放音空間２７、２８が存在しないため、携帯性が良いばかりか、スピーカ覆部２３を第２ケース２の下ケース２ｂに段差を持たせて形成するだけで良いので、第２ケース２が複雑な形状にならず、しかもスピーカ覆部２３を有する第２ケース２を容易に製作することができる。
【００４１】
なお、上記実施形態１では、第１放音孔２４の各傾斜面２４ａ、２４ｂおよび第２放音孔２５の各傾斜面２５ａ、２５ｂをほぼ平行に形成したが、これに限らず、図６に示す第１変形例、および図７に示す第２変形例のように形成しても良い。なお、これらの各変形例では、第１スピーカ２１の第１放音孔２４側のみについて説明する。例えば、図６に示された第１変形例は、第１放音孔２４の各傾斜面２４ａ、２４ｂのうち、スピーカ覆部２３の傾斜面２４ｂを円弧状の凹曲面に形成した構造になっている。また、図７に示された第２変形例は、第１放音孔２４を、第１スピーカ２１側がその放音面２１ａ全体に対応し、外部側が第２ケース２の下部側方に向けて傾斜するように形成した構造になっている。このようないずれの構造においても、実施形態１とほぼ同様の作用効果がある。
【００４２】
また、これに限らず、図８〜図１０に示す第３〜第５変形例のように構成しても良い。例えば、図８に示された第３変形例は、第２ケース２の下ケース２ｂとスピーカ覆部２３との厚みを同じにして、スピーカ覆部２３を下ケース２ｂよりも下側に突出させることにより、スピーカ覆部２３と下ケース２ｂとに段差を持たせると共に、第１スピーカ２１と第１放音孔２４との間に共鳴空間３５を形成した構造である。このような構造でも、実施形態１と同様の作用効果があるほか、特に共鳴空間３５によって第１スピーカ２１からの音を共鳴させることができるので、より一層、音量を確保することができる。
【００４３】
また、図９に示された第４変形例は、第２ケース２の下ケース２ｂの両側をスピーカ覆部２３の両端部に向けて傾斜させると共に、第１、第２スピーカ２１、２２をも傾斜させて配置し、これにより第１、第２スピーカ２１、２２の各放音面２１ａ、２２ａを第１、第２放音孔２４、２５に対向させた構造である。さらに、図１０に示された第５変形例は、スピーカ覆部２３の両端部と下ケース２ｂの両側部とを連続する平坦面状の傾斜部にそれぞれ形成し、その各中間部に第１、第２放音孔２４、２５を形成し、その各傾斜部の内面に第１、第２スピーカ２１、２２を傾斜させて配置した構造である。この場合、スピーカ覆部２３の両端部と下ケース２ｂの両側部との連続する傾斜部は、平坦面状である必要はなく、凸型の円弧面状や湾曲面状に形成しても良い。このようないずれの構造においても、実施形態１とほぼ同様の作用効果がある。
【００４４】
（実施形態２）
次に、図１１〜図１３を参照して、この発明の携帯型電子機器を携帯電話機に適用した実施形態２について説明する。なお、図１〜図５に示された実施形態１と同一部分には同一符号を付して説明する。
この携帯電話機は、第２ケース２に設けられたカード収納部１６の挿入口１６ａを開閉可能に塞ぐ開閉蓋１７に突起部４０を形成し、第２ケース２を卓上などの載置面２６上に配置したときに、開閉蓋１７の突起部４０によって第２ケース２の背面（図１３では下面）を載置面２６の上方に少し浮かせて、ステレオスピーカ部１２の第１、第２放音孔２４、２５から放音された音を第２ケース２の両側に向けて放音させる放音空間４１を形成した構造で、これ以外は実施形態１とほぼ同じ構造になっている。
【００４５】
すなわち、開閉蓋１７は、スピーカ覆部２３の近傍に配置され、第２ケース２に設けられたカード収納部１６の挿入口１６ａに着脱可能に取り付けられ、これによりカード収納部１６内に収納されたメモリカード１５を保護するように構成されている。この開閉蓋１７の外面には、図１１に示すように、突起部４０が形成されている。この突起部４０は、全体がほぼ半円弧状に形成され、開閉蓋１７の表面からの突出高さがスピーカ覆部２３の外表面よりも少し高くなるように形成されている。
【００４６】
これにより、第２ケース２のステレオスピーカ部１２は、図１３に示すように、第２ケース２が卓上などの載置面２６上に配置されると、開閉蓋１７に設けられた突起部４０によって第２ケース２の背面が載置面２６から少し浮き上がり、第１、第２放音孔２４、２５からの音を第２ケース２の両側に導く放音空間４１を形成するように構成されている。この場合、放音空間４１は、第１、第２スピーカ２１、２２の各放音面２１ａ、２２ａ側を覆うスピーカ覆部２３によって第１放音孔２４側と第２放音孔２５側とに仕切られ、これにより実質的に第１放音孔２４側の放音空間部と第２放音孔２５側の放音空間部との２つに分割されるように構成されている。
【００４７】
このような携帯電話機では、実施形態１と同様の作用効果があるほか、特に第２ケース２内に設けられたカード収納部１６の挿入口１６ａを開閉可能に塞いでカード収納部１６内に収納されたメモリカード１５を保護する開閉蓋１７に突起部４０を設けたので、第２ケース２を卓上などの載置面２６上に配置したときに、第２ケース２の背面が突起部４０によって載置面２６から少し浮き上がり、第１、第２放音孔２４、２５からの音を第２ケース２の両側に導く放音空間４１を形成することができる。このため、第２ケース２を載置面２６上に配置しても、図１３に示すように、第１放音孔２４と第２放音孔２５とが塞がれることがなく、第１、第２放音孔２４、２５から放音された音を放音空間４１によって第２ケース２の両側から外部に確実に放音させることができ、これにより良好にステレオ効果を得ることができる。
【００４８】
この場合、突起部４０がカード収納部１６の開閉蓋１７に形成されているため、突起部４０を第２ケース２に設ける必要がなく、第２ケース２とは別の開閉蓋１７に形成すれば良いので、突起部４０を簡単に形成することができる。このため、第２ケース２の形状が複雑にならず、第２ケース２を容易に製作することができる。特に、突起部４０が開閉蓋１７の取っ手の役目をも兼ねることができるので、開閉蓋１７の開閉操作が容易にできると共に、突起部４０によって第１、第２ケース１、２を開いた状態で載置面２６上に配置したときに、第１ケース１の重量によって第２ケース２が浮き上がるように回動するのを防ぐことができ、これによっても使い勝手の良いものを得ることができる。
【００４９】
なお、上記実施形態２では、メモリカード１５を収納するカード収納部１６の挿入口１６ａを開閉可能に塞ぐ開閉蓋１７に突起部４０を設けたが、これに限らず、例えば電池パックを収納する電池収納部の開口部を開閉可能に塞ぐ電池蓋１１に突起部４０を設け、この電池蓋１１をステレオスピーカ部１２の近傍に配置するようにしても良い。このような構造でも、実施形態２と同様の作用効果がある。
【００５０】
また、上記実施形態１、２および第１〜第５変形例では、ステレオスピーカ部１２を第２ケース２に設けた場合について述べたが、これに限らず、第１ケース１に設けても良い。この場合にも、実施形態１、２と同様の作用効果がある。
さらに、上記実施形態１、２および第１〜第５変形例では、携帯型電子機器として、携帯電話機に適用した場合について述べたが、これに限らず、携帯型音響機器、電子辞書、電卓、ＰＤＡ（パーソナル・デジタル・アシスタント）などの携帯型の電子機器に広く適用することができる。
【図面の簡単な説明】
【００５１】
【図１】この発明を適用した携帯電話機の正面図である。（実施形態１）
【図２】図１の携帯電話機の側面図である。
【図３】図１の携帯電話機の背面図である。
【図４】図３のＡ−Ａ矢視における拡大断面図である。
【図５】図４の主要部を原理的に示した断面図である。
【図６】実施形態１の第１変形例を示した要部の拡大断面図である。
【図７】実施形態１の第２変形例を示した要部の拡大断面図である。
【図８】実施形態１の第３変形例を示した要部の拡大断面図である。
【図９】実施形態１の第４変形例を示した要部の拡大断面図である。
【図１０】実施形態１の第５変形例を示した要部の拡大断面図である。
【図１１】この発明を適用した携帯電話機における第２ケースを示した一部分解した斜視図である。（実施形態２）
【図１２】図１１の携帯電話機の背面図である。
【図１３】図１２の携帯電話機を載置面上に配置した状態を示した側面図である。
【符号の説明】
【００５２】
１  第１ケース
２  第２ケース
１２  ステレオスピーカ部
１５  メモリカード
１６  カード収納部
１７  開閉蓋
２１  第１スピーカ
２２  第２スピーカ
２１ａ、２２ａ  放音面
２３  スピーカ覆部
２４  第１放音孔
２５  第２放音孔
２６  載置面
２７  第１放音空間
２８  第２放音空間
２９  隔壁
３０  空気空間
４０  突起部
４１  放音空間
【図１】
2005286702.tif 000003
【図２】
2005286702.tif 000004
【図３】
2005286702.tif 000005
【図４】
2005286702.tif 000006
【図５】
2005286702.tif 000007
【図６】
2005286702.tif 000008
【図７】
2005286702.tif 000009
【図８】
2005286702.tif 000010
【図９】
2005286702.tif 000011
【図１０】
2005286702.tif 000012
【図１１】
2005286702.tif 000013
【図１２】
2005286702.tif 000014
【図１３】
2005286702.tif 000015